(57)【要約】      （修正有）【課題】輝度を高めることができ、ローカルディミングに有利な構造を有する表示装置を提供する。【解決手段】導光部３００ａ及び導光部から第１方向Ｘに延びた延長部３００ｂを含む導光板３００と、導光板上の表示パネルと、導光部の下面３１に配置された複数の導光パターン３５０と、導光部の側面３３と向き合う第１光源８２１と、延長部３００ｂの下面３１と向き合う第２光源８２２とを含む。【選択図】図２
2020064270.tif 000002
【特許請求の範囲】
【請求項１】
導光部及び前記導光部から第１方向に延びた延長部を含む導光板と、
前記導光板上の表示パネルと、
前記導光部の下面に配置された複数の導光パターンと、
前記導光部の側面と向き合う第１光源と、
前記延長部の下面と向き合う第２光源とを含む、表示装置。
【請求項２】
前記導光部及び前記延長部の少なくとも一上面上に配置された散乱層をさらに含む、請求項１に記載の表示装置。
【請求項３】
前記導光部及び前記延長部の少なくとも一上面上に配置された色変換層をさらに含む、請求項１に記載の表示装置。
【請求項４】
前記複数の導光パターンの間隔は前記第１光源から遠くなる方向で次第に減少する、請求項１に記載の表示装置。
【請求項５】
前記導光板、前記第１光源及び前記第２光源が配置されたボトムケースをさらに含む、請求項１に記載の表示装置。
【請求項６】
前記ボトムケースは、
前記複数の導光パターンを挟んで前記導光部の下面と向き合う第１基底部と、
前記複数の導光パターンを挟んで前記導光部の下面と向き合い、前記導光板に前記第１基底部より近接して配置された第２基底部と、
前記第２光源を挟んで前記延長部の下面と向き合い、前記導光板から前記第１基底部より遠く配置された第３基底部とを含む、請求項５に記載の表示装置。
【請求項７】
前記ボトムケースは、
前記第１基底部と第２基底部を連結する第１連結部と、
前記第２基底部と前記第３基底部を連結する第２連結部とをさらに含む、請求項６に記載の表示装置。
【請求項８】
前記第２基底部は前記導光部に向かって陥没した溝を有する、請求項６に記載の表示装置。
【請求項９】
前記溝に配置され、前記表示パネルに連結されたプリント基板をさらに含む、請求項８に記載の表示装置。
【請求項１０】
前記プリント基板を挟んで前記第２基底部と向き合う保護部を含む保護ケースをさらに含む、請求項９に記載の表示装置。
【請求項１１】
前記導光板の上面から前記第３基底部の外側面までの距離は前記導光板の上面から前記保護部の外側面までの距離と同一である、請求項１０に記載の表示装置。
【請求項１２】
前記第２光源を取り囲むレンズをさらに含む、請求項１に記載の表示装置。
【請求項１３】
前記第１方向に交差する第２方向に前記導光部の他側面と向き合う第３光源をさらに含む、請求項１に記載の表示装置。
【請求項１４】
第１導光部、前記第１導光部から第１方向に延びた延長部及び前記第１導光部から第２方向に突出し、三角形断面を有する第２導光部を含む導光板と、
前記導光板上の表示パネルと、
前記第２導光部の第１斜面に配置された複数の導光パターンと、
前記第２導光部の第２斜面と向き合う第１光源と、
前記延長部の下面と向き合う第２光源とを含む、表示装置。
【請求項１５】
前記第１導光部及び前記延長部の少なくとも一上面上に配置された散乱層をさらに含む、請求項１４に記載の表示装置。
【請求項１６】
前記第１導光部及び前記延長部の少なくとも一上面上に配置された色変換層をさらに含む、請求項１４に記載の表示装置。
【請求項１７】
前記導光板、前記第１光源及び前記第２光源が配置されたボトムケースをさらに含む、請求項１４に記載の表示装置。
【請求項１８】
前記ボトムケースは、
前記第１導光部の下面と向き合う第１基底部と、
前記複数の導光パターンを挟んで前記第２導光部の第１斜面と向き合う第１基底部と、
前記第２光源を挟んで前記延長部の下面と向き合う第２基底部とを含む、請求項１７に記載の表示装置。
【請求項１９】
前記第２斜面と前記延長部の下面が成す角は鈍角である、請求項１４に記載の表示装置。
【請求項２０】
導光部及び前記導光部から延びた延長部を含む導光板と、
前記導光板上の表示パネルと、
前記導光部の斜面に配置された複数の導光パターンと、
前記導光部の側面と向き合う第１光源と、
前記延長部の下面と向き合う第２光源とを含み、
前記導光部は前記第１光源から遠くなる方向に次第に減少する厚さを有する、表示装置。
【発明の詳細な説明】
【技術分野】
【０００１】
本発明は表示装置に係り、より詳しくは、輝度を高めることができ、ローカルディミングに有利な表示装置に関する。
【背景技術】
【０００２】
液晶表示装置（ｌｉｑｕｉｄ  ｃｒｙｓｔａｌ  ｄｉｓｐｌａｙ、ＬＣＤ）は現在最も広く使われているフラットパネルディスプレイ（ｆｌａｔ  ｐａｎｅｌ  ｄｉｓｐｌａｙ、ＦＰＤ）の一つで、電極が形成されている２枚の基板とその間に挿入されている液晶層を含む。
【０００３】
液晶表示装置は、二つの電極に電圧を印加して液晶層の液晶分子を再配列させることによって透過される光量を調節する表示装置である。このために、液晶表示装置は、光を提供するバックライトユニットを必要とする。
【０００４】
バックライトユニットからの光は液晶表示装置の偏光板、液晶層及びカラーフィルターなどを通過しながらその光の大部分が反射又は吸収によって損失される。一般に、バックライトユニットから放出された光の約３％〜１０％程度のみ映像を表示するのに使われる。
【先行技術文献】
【特許文献】
【０００５】
【特許文献１】特開２０１９−０３９９８２号公報
【発明の概要】
【発明が解決しようとする課題】
【０００６】
本発明は輝度を高めることができ、ローカルディミングに有利な表示装置を提供することにその目的がある。
【課題を解決するための手段】
【０００７】
前記のような目的を達成するための本発明による表示装置は、導光部及び前記導光部から第１方向に延びた延長部を含む導光板と、前記導光板上の表示パネルと、前記導光部の下面に配置された複数の導光パターンと、前記導光部の側面と向き合う第１光源と、前記延長部の下面と向き合う第２光源とを含む。
【０００８】
前記表示装置は、前記導光部及び前記延長部の少なくとも一上面上に配置された散乱層をさらに含む。
【０００９】
前記表示装置は、前記導光部及び前記延長部の少なくとも一上面上に配置された色変換層をさらに含む。
【００１０】
前記複数の導光パターンの間隔は前記第１光源から遠くなる方向で次第に減少する。
【００１１】
前記表示装置は、前記導光板、前記第１光源及び前記第２光源が配置されたボトムケースをさらに含む。
【００１２】
前記ボトムケースは、前記複数の導光パターンを挟んで前記導光部の下面と向き合う第１基底部と、前記複数の導光パターンを挟んで前記導光部の下面と向き合い、前記導光板に前記第１基底部より近接して配置された第２基底部と、前記第２光源を挟んで前記延長部の下面と向き合い、前記導光板から前記第１基底部より遠く配置された第３基底部とを含む。
【００１３】
前記ボトムケースは、前記第１基底部と第２基底部を連結する第１連結部と、前記第２基底部と前記第３基底部を連結する第２連結部とをさらに含む。
【００１４】
前記第２基底部は前記導光部に向かって陥没した溝を有する。
【００１５】
前記表示装置は、前記溝に配置され、前記表示パネルに連結されたプリント基板をさらに含む。
【００１６】
前記表示装置は、前記プリント基板を挟んで前記第２基底部と向き合う保護部を含む保護ケースをさらに含む。
【００１７】
前記導光板の上面から前記第３基底部の外側面までの距離は前記導光板の上面から前記保護部の外側面までの距離と同一である。
【００１８】
前記表示装置は、前記第２光源を取り囲むレンズをさらに含む。
【００１９】
前記表示装置は、前記第１方向に交差する第２方向に前記導光部の他側面と向き合う第３光源をさらに含む。
【００２０】
また、前記のような目的を達成するための本発明による表示装置は、第１導光部、前記第１導光部から第１方向に延びた延長部及び前記第１導光部から第２方向に突出し、三角形断面を有する第２導光部を含む導光板と、前記導光板上の表示パネルと、前記第２導光部の第１斜面に配置された複数の導光パターンと、前記第２導光部の第２斜面と向き合う第１光源と、前記延長部の下面と向き合う第２光源とを含む。
【００２１】
前記表示装置は、前記第１導光部及び前記延長部の少なくとも一上面上に配置された散乱層をさらに含む。
【００２２】
前記表示装置は、前記第１導光部及び前記延長部の少なくとも一上面上に配置された色変換層をさらに含む。
【００２３】
前記表示装置は、前記導光板、前記第１光源及び前記第２光源が配置されたボトムケースをさらに含む。
【００２４】
前記ボトムケースは、前記第１導光部の下面と向き合う第１基底部と、前記複数の導光パターンを挟んで前記第２導光部の第１斜面と向き合う第１基底部と、前記第２光源を挟んで前記延長部の下面と向き合う第２基底部とを含む。
【００２５】
前記第２斜面と前記延長部の下面が成す角は鈍角である。
【００２６】
また、前記のような目的を達成するための本発明による表示装置は、導光部及び前記導光部から延びた延長部を含む導光板と、前記導光板上の表示パネルと、前記導光部の斜面に配置された複数の導光パターンと、前記導光部の側面と向き合う第１光源と、前記延長部の下面と向き合う第２光源とを含み、前記導光部は前記第１光源から遠くなる方向に次第に減少する厚さを有する。
【発明の効果】
【００２７】
本発明による表示装置は次のような効果を提供する。
第一、導光板の側面に位置する第１光源及び導光板の下部に位置する第２光源によって表示パネルに光が提供されるので、高輝度の光が生成されることができる。
第二、導光板の導光部にのみ選択的に導光パターンが配置されるので、第１光源からの光が延長部を通過する第２光源からの光にほとんど影響を与えない。よって、導光部のディミング領域と延長部のディミング領域の個別的な輝度調節が可能である。すなわち、本発明の表示装置はローカルディミングに有利な構造を有する。
第三、保護ケースの外側面とボトムケースの外側面が同一平面上に配置されることによって表示装置の背面が扁平な状態で維持されることができる。
【図面の簡単な説明】
【００２８】
【図１】本発明の一実施例による表示装置の分解斜視図である。
【図２】図１のＩ−Ｉ’線に沿っての断面図であり、図１の各構成要素が結合された表示装置の断面図である。
【図３】図２の導光板及びその導光板の周辺部の拡大図である。
【図４】図２の導光板及びその導光板の周辺部の他の実施例の拡大図である。
【図５】図２の導光板、第１光源モジュール及び第２光源モジュールの平面図である。
【図６】図１のＩ−Ｉ’線に沿っての他の実施例の断面図である。
【図７】図１のＩ−Ｉ’線に沿っての他の実施例の断面図である。
【図８】図７の導光板及びその導光板の周辺部の拡大図である。
【図９】図１のＩ−Ｉ’線に沿っての他の実施例の断面図である。
【図１０】図９の導光板及びその導光板の周辺部の拡大図である。
【図１１】図２の導光板、第１光源モジュール及び第２光源モジュールの他の実施例の平面図である。
【発明を実施するための形態】
【００２９】
本発明の利点及び特徴、そしてそれらを達成する方法は添付図面に基づいて詳細に後述する実施例を参照すれば明らかになるであろう。しかし、本発明は以下で開示する実施例に限定されるものではなく、互いに違う多様な形態に具現さできる。ただ、本実施例は本発明の開示を完全にし、本発明が属する技術分野で通常の知識を有する者に発明の範疇を完全に知らせるために提供するものであり、本発明は請求範囲の範疇によって定義されるだけである。したがって、いくつかの実施例において、よく知られた工程段階、よく知られた素子構造及びよく知られた技術は本発明があいまいに解釈されることを避けるために具体的に説明しない。明細書全般にわたって同じ参照符号は同一構成要素を指す。
【００３０】
図面において、多くの層及び領域を明確に表現するために厚さを拡大して示した。明細書全般にわたって類似の部分には同じ図面符号を付けた。層、膜、領域、板などの部分が他の部分‘‘上に’’あると言うとき、これは他の部分‘‘直上に’’ある場合だけではなく、その中間にさらに他の部分がある場合も含む。反対に、ある部分が他の部分‘‘直上に’’あると言うときには中間に他の部分がないことを意味する。また、層、膜、領域、板などの部分が他の部分‘‘の下に’’あると言うとき、これは他の部分の‘‘直下に’’ある場合だけではなく、その中間にさらに他の部分がある場合も含む。反対に、ある部分が他の部分の‘‘直下に’’あると言うときには中間に他の部分がないことを意味する。
【００３１】
空間的に相対的な用語である‘‘下（ｂｅｌｏｗ）’’、‘‘下（ｂｅｎｅａｔｈ）’’、‘‘下部（ｌｏｗｅｒ）’’、‘‘上（ａｂｏｖｅ）’’、‘‘上部（ｕｐｐｅｒ）’’などは、図面に示しているように、１個の素子又は構成要素と他の素子又は構成要素との相関関係を容易に記述するために使用する。空間的に相対的な用語は、図面に示す方向に加え、使用時又は動作時の素子の互いに異なる方向を含む用語と理解しなければならない。例えば、図面に示されている素子を覆す場合は、他の素子の‘‘下（ｂｅｌｏｗ）’’又は“‘‘下（ｂｅｎｅａｔｈ）’’に配置されていると記述された素子は、他の素子の‘‘上（ａｂｏｖｅ）’’に置かれることができる。したがって、例示的な用語である‘‘下’’は、下と上の方向のいずれも含む。素子は、他の方向にも配向され、よって空間的に相対的な用語は配向によって解釈される。
【００３２】
本明細書において、ある部分が他の部分と連結されていると言うとき、これは直接的に連結されている場合だけではなく、その中間に他の素子を介して電気的に連結されている場合も含む。また、ある部分がある構成要素を含むというとき、これは、特に反対の記載がない限り、他の構成要素を排除するものではなくて他の構成要素をさらに含むことができることを意味する。
【００３３】
本明細書において、第１、第２、第３などの用語は多様な構成要素を説明するのに使用するが、このような構成要素は前記用語に限定されるものではない。前記用語は一構成要素を他の構成要素と区別する目的で使う。例えば、本発明の権利範囲から逸脱しない範疇内で、第１構成要素を第２又は第３構成要素などと名付けることができ、同様に第２又は第３構成要素も取り替えて名付けることができる。
【００３４】
他の定義がない限り、本明細書で使う全ての用語（技術的及び科学的用語を含む）は本発明が属する技術分野で通常の知識を有する者に共通して理解可能な意味として使用可能である。また、一般的に使われる辞書に定義されている用語は、特に定義しない限り、理想的に又は過度に解釈されてはならない。
【００３５】
以下、図１〜図１１に基づいて本発明による表示装置を詳細に説明する。
図１は本発明の一実施例による表示装置の分解斜視図、図２は図１のＩ−Ｉ’線に沿っての断面図であり、図１の各構成要素が結合された表示装置の断面図である。また、図３は図２の導光板３００及びその導光板３００の周辺部の拡大図である。
【００３６】
本発明による表示装置は、図１及び図２に示したように、第１光源モジュール８０１、第２光源モジュール８０２、ボトムケース６００、導光板３００、導光パターン３５０、光学フィルム２００、支持フレーム４００、表示パネル１００、プリント基板１６８、駆動回路部１７７、保護ケース５５０及びトップケース５００を含む。
【００３７】
ここで、導光板３００、光学フィルム２００、第１光源モジュール８０１、第２光源モジュール８０２及び支持フレーム４００はバックライトユニットに含まれる。一方、表示パネル１００とバックライトユニットは積層状態に組み立てられて表示モジュールを構成する。この表示モジュールは、表示パネル１００、トップケース５００、ボトムケース６００、保護ケース５５０及びプリント基板１６８をさらに含む。
【００３８】
導光板３００はボトムケース６００の内部に位置する。導光板３００は、図２及び図３に示したように、導光部３００ａ及び延長部３００ｂを含む。延長部３００ｂは導光部３００ａからＸ軸方向に延びる。導光部３００ａと延長部３００ｂは一体になる。
【００３９】
延長部３００ｂの長さは導光部３００ａの長さより長くてもよい。ここで、延長部３００ｂ長さ及び導光部３００ａの長さはそれぞれＸ軸方向への大きさを意味する。
【００４０】
延長部３００ｂの厚さは導光部３００ａの厚さと同一であってもよい。ここで、延長部３００ｂの厚さ及び導光部３００ａの厚さはそれぞれＺ軸方向への大きさを意味する。
【００４１】
導光板３００の面のうちＺ軸方向に向き合う二つの面はそれぞれその導光板３００の下面３１及び上面３２を定義し、その導光板３００の面のうちＸ軸方向に向き合う二つの面はそれぞれその導光板３００の第１側面３３及び第２側面３４を定義する。導光板３００の下面３１及び上面３２のうち下面３１が表示パネル１００から最も遠く位置し、導光板３００の第１側面３３及び第２側面３４のうち第１側面３３が第１光源モジュール８０１に最も近くに位置する。
【００４２】
導光板３００の下面３１は導光部３００ａの下面３１と延長部３００ｂの下面３１を含む。
導光板３００の上面３２は導光部３００ａの上面３２と延長部３００ｂの上面３２を含む。
【００４３】
図１〜図３に示したように、導光板３００の導光部３００ａに少なくとも一つの導光パターン３５０が配置される。例えば、導光部３００ａの下面３１に複数の導光パターン３５０が配置される。導光パターン３５０はＸ軸方向及びＹ軸方向に配置される。
【００４４】
Ｘ軸方向に配置された導光パターン３５０の間隔は第１光源モジュール８０１（又は第１光源モジュール８０１の第１光源８２１）から遠くなる方向（例えば、Ｘ軸方向）に次第に減少する。これとは違い、導光パターン３５０は一定の間隔で配置されることもできる。導光パターン３５０はボトムケース６００の第１及び第２基底部６１１ａ、６１１ｂと導光板３００の導光部３００ａの間に配置される。
【００４５】
導光板３００は、光を効率的に案内するように透光性を有する材料、例えばＰＭＭＡ（ＰｏｌｙＭｅｔｈｙｌＭｅｔｈＡｃｒｙｌａｔｅ）のようなアクリル樹脂、ポリカーボネート（ＰＣ：ＰｏｌｙＣａｒｂｏｎａｔｅ）のような材料からなる。また、導光板３００はガラス素材からなることもできる。
【００４６】
一方、図３に示したように、延長部３００ｂの上面３２上に散乱層９１０がさらに配置される。具体的に、この散乱層９１０は延長部３００ｂと光学フィルム２００の間に配置される。この散乱層９１０は延長部３００ｂの上面３２の全体と重畳する。散乱層９１０は延長部３００ｂに入射した光を散乱させて表示パネル１００側に提供する。
【００４７】
ボトムケース６００はその内部に収納空間を含む。この収納空間に第１光源モジュール８０１、第２光源モジュール８０２、導光板３００及び光学フィルム２００が配置される。
【００４８】
前述した収納空間の確保のために、ボトムケース６００は、収納部６１１及び複数の側部６１２を含む。例えば、収納部６１１は四角形を有し、側部６１２のそれぞれはこの収納部６１１の各縁端から所定の長さで突出する。例えば、各側部６１２は収納部６１１の各縁端からＺ軸方向に突出する。具体的な例として、各側部６１２は収納部６１１の各縁端からトップケース５００に向かって突出する。この側部６１２及び基底部によって取り囲まれて定義された空間を前述した収納空間と定義できる。収納部６１１及び側部６１２は一体になる。互いに隣り合う側部６１２の縁端は互いに連結される。
【００４９】
第１光源モジュール８０１を挟んで互いに向き合う二つの側部（例えば、Ｘ軸方向に向き合う側部）は互いに異なる長さを有することができる。例えば、向き合う二つの側部のうち導光板３００の導光部３００ａに最も近接した側部（以下、第１側部）は他側部（以下、第２側部）より短い長さを有する。ここで、第１及び第２側部の各長さはＺ軸方向への大きさを意味する。
【００５０】
ボトムケース６００の収納部６１１は、図２に示したように、第１基底部６１１ａ、第２基底部６１１ｂ、第３基底部６１１ｃ、第１連結部６８８ａ及び第２連結部６８８ｂを含む。前述した第１側部は第１基底部６１１ａの縁端から突出し、第２側部は第３基底部６１１ｃの縁端から突出する。
【００５１】
第１基底部６１１ａ、第２基底部６１１ｂ及び第３基底部６１１ｃはＸ軸方向に配置される。第１基底部６１１ａ及び第２基底部６１１ｂは導光部３００ａと向き合うようにその導光板３００の下部に位置し、第３基底部６１１ｃは延長部３００ｂと向き合うようにその導光板３００の下部に位置する。
【００５２】
第１基底部６１１ａ、第２基底部６１１ｂ及び第３基底部６１１ｃは導光板３００から互いに異なる距離に位置する。ここで、導光板３００と該当基底部間の距離はＺ軸方向への距離を意味する。例えば、導光板３００と第１基底部６１１ａ間の距離を第１距離ｄ１と定義し、その導光板３００と第２基底部６１１ｂ間の距離を第２距離ｄ２と定義し、その導光板３００と第３基底部６１１ｃ間の距離を第３距離ｄ３と定義すると、第１〜第３距離は互いに異なる。具体的に、第１距離ｄ１は第２距離ｄ２より大きくて第３距離ｄ３より小さい（ｄ２＜ｄ１＜ｄ３）。
【００５３】
他の意味として、第１導光板３００の上面３２を基準面と定義すると、第１〜第３基底部６１１ａ、６１１ｂ、６１１ｃの各外側面はその基準面から互いに異なる高さに位置する。ここで、該当基底部の外側面は導光板３００に向かう該当基底部の内側面の反対側に位置する該当基底部の面を意味し、高さはその基準面から該当基底部の外側面までの−Ｚ軸方向への距離を意味する。第１〜第３基底部６１１ａ、６１１ｂ、６１１ｃの各外側面のうち第２基底部６１１ｂの外側面が最小の高さに位置する。すなわち、第２基底部６１１ｂの外側面は導光板３００に向かって陥没した形状を有する。これにより、第２基底部６１１ｂの外側面に溝６０が配置される。
【００５４】
第１基底部６１１ａ、第２基底部６１１ｂ及び第３基底部６１１ｃの各厚さは同一であってもよい。各基底部６１１ａ、６１１ｂ、６１１ｃの厚さはＺ軸方向への大きさを意味する。
【００５５】
第１連結部６８８ａは導光板３００から互いに異なる距離に位置する第１基底部６１１ａと第２基底部６１１ｂを互いに連結する。第１連結部６８８ａは斜線形に傾いた形状を有する。例えば、第１連結部６８８ａは第２基底部６１１ｂに対して所定の角度に傾いた形状を有する。
【００５６】
第２連結部６８８ｂは導光板３００から互いに異なる距離に位置する第２基底部６１１ｂと第３基底部６１１ｃを互いに連結する。第２連結部６８８ｂは斜線形に傾いた形状を有する。例えば、第２連結部６８８ｂは第２基底部６１１ｂに対して所定の角度に傾いた形状を有する。
【００５７】
第１基底部６１１ａ、第２基底部６１１ｂ、第３基底部６１１ｃ、第１連結部６８８ａ及び第２連結部６８８ｂは一体になる。
【００５８】
一方、図示していないが、導光板３００と第１基底部６１１ａ間の第１距離ｄ１はその導光板３００と第２基底部６１１ｂ間の第２距離ｄ２と同一であってもよい。言い換えれば、第１距離ｄ１と第２距離ｄ２は同一であってもよい。この場合、第１連結部６８８ａは省略できる。
【００５９】
第２基底部６１１ｂの外側面上にプリント基板１６８が配置される。このプリント基板１６８には表示パネル１００を駆動するための駆動回路部１７７が配置される。これにより、第２基底部６１１ｂはプリント基板１６８と導光板３００の間に配置される。
【００６０】
第１光源モジュール８０１はボトムケース６００の第１側部と導光板３００の間に配置される。第１光源モジュール８０１は少なくとも一つの第１光源８２１及び第１光源回路基板８１１を含む。
【００６１】
第１光源８２１の出光面は導光板３００の第１側面３３と向き合う。第１光源８２１は光を生成する。例えば、第１光源８２１は白色光又は青色光を放出する。
【００６２】
第１光源８２１が白色光を放出する光源の場合、第１光源８２１は、例えば青色光を放出する青色発光ダイオード及びこの青色発光ダイオードを取り囲む蛍光体を含む。青色発光ダイオードからの青色光は蛍光体を通過しながら白色光に変換される。
【００６３】
他の例として、第１光源８２１が白色光を放出する光源の場合、この光源は赤色光を放出する赤色発光ダイオード、緑色光を放出する緑色発光ダイオード及び青色光を放出する青色発光ダイオードを含む。赤色発光ダイオードからの赤色光、緑色発光ダイオードからの緑色光及び青色発光ダイオードからの青色光が互いに混合されて白色光が発生する。
【００６４】
第１光源８２１が青色光を放出する光源の場合、第１光源８２１は青色発光ダイオードを含む。
【００６５】
第１光源モジュール８０１が複数の第１光源８２１を含む場合、この複数の第１光源８２１は導光板３００の第１側面３３に沿って配置される。例えば、複数の第１光源８２１は導光板３００の第１側面３３と向き合ってＹ軸方向に配置される。
【００６６】
第１光源回路基板８１１の一面は少なくとも一つの実装（ｍｏｕｎｔｉｎｇ）領域と配線領域に区分される。第１光源モジュール８０１が複数の第１光源８２１を含む場合、各実装領域に第１光源８２１が一つずつ配置され、そして配線領域にその第１光源８２１に駆動電源を伝送するための複数の信号ラインが配置される。前述した駆動電源は外部の電源供給部で生成された後、別途のコネクター（図示せず）を介して前記複数の信号ラインに供給される。電源供給部は駆動回路部１７７に含まれる。
【００６７】
第１光源８２１からの光は導光板３００の導光部３００ａの第１側面３３に入射する。第１側面３３に入射した光は導光パターン３５０によって全反射されて導光部３００ａの内部に進行する。導光部３００ａはその内部の光を全反射させて表示パネル１００の表示領域側に案内する。ここで、第１側面３３に入射した光は導光パターン３５０によって導光部３００ａ内で全反射され、延長部３００ｂにほとんど入射しない。すなわち、延長部３００ｂには導光パターン３５０が配置されないので、導光部３００ａからの光は延長部３００ｂにほとんど入射しない。これにより、導光部３００ａからの光が延長部３００ｂのディミング領域を通過する光の輝度に影響を与えない。
【００６８】
第２光源モジュール８０２はボトムケース６００の第３基底部６１１ｃと導光板３００の間に配置される。具体的な例として、第２光源モジュール８０２は第３基底部６１１ｃと導光板３００の延長部３００ｂの間に配置される。第２光源モジュール８０２は少なくとも一つの第２光源８２２及び第２光源回路基板８１２を含む。
【００６９】
第２光源８２２の出光面は導光板３００の下面３１と向き合う。第２光源８２２は光を生成する。例えば、第２光源８２２は前述したような白色光又は青色光を放出する。第２光源８２２及び第２光源回路基板８１２はそれぞれ前述した第１光源８２１及び第１光源回路基板８１１と同一の構造を有する。
【００７０】
第２光源モジュール８０２が複数の第２光源８２２を含む場合、この複数の第２光源８２２は導光板３００の下側に配置される。例えば、複数の第２光源８２２は導光板３００の下面３１と向き合ってＸ軸方向に配置される。
【００７１】
第２光源８２２からの光は延長部３００ｂの下面３１に入射する。延長部３００ｂはその下面３１に入射した光を拡散させて表示パネル１００側に案内する。
【００７２】
図１に示したように、表示装置が複数の第２光源モジュール８０２を含む場合、その複数の第２光源モジュール８０２はＹ軸方向に一定の間隔で配置される。
【００７３】
光学フィルム２００は導光板３００から伝達される光を拡散及び集光する。光学フィルム２００は導光板３００と表示パネル１００の間に配置される。光学フィルム２００は、拡散フィルム２００ａ、集光フィルム２００ｂ及び保護フィルム２００ｃを含む。拡散フィルム２００ａ、集光フィルム２００ｂ及び保護フィルム２００ｃはこの順に導光板３００上に積層される。
【００７４】
拡散フィルム２００ａは導光板３００上に配置される。拡散フィルム２００ａは導光板３００から伝達された光を分散させることで、光が部分的に密集することを防止する。
【００７５】
集光フィルム２００ｂは拡散フィルム２００ａ上に配置され、その拡散フィルム２００ａから拡散された光を表示パネル１００に対して直角の方向に集光する役割をする。このために、この集光フィルム２００ｂの一面に三角柱状のプリズムが一定の配列に配置される。
【００７６】
保護フィルム２００ｃは集光フィルム２００ｂ上に配置されてその集光フィルム２００ｂの表面を保護し、光を拡散させて光の分布を均一にする。保護フィルム２００ｃを通過した光は表示パネル１００に提供される。
【００７７】
一方、保護フィルム２００ｃの代わりに二重輝度向上フィルム（Ｄｏｕｂｌｅ  Ｂｒｉｇｈｔｎｅｓｓ  Ｅｎｈａｎｃｅｍｅｎｔ  Ｆｉｌｍ）を使うことができる。
【００７８】
また、他の実施例として、前述した光学フィルム２００は、二重輝度向上フィルム、第１集光フィルム及び第２集光フィルムを含むことができる。二重輝度向上フィルム、第１集光フィルム及び第２集光フィルムはこの順に導光板３００上に積層される。例えば、二重輝度向上フィルムは導光板３００と第１集光フィルムの間に配置され、第１集光フィルムは二重輝度向上フィルムと第２集光フィルムの間に配置され、そして第２集光フィルムは第１集光フィルムと表示パネル１００の間に配置される。第１集光フィルムのプリズムと第２集光フィルムのプリズムは相異なる方向に配列される。例えば、第１集光フィルムのプリズムがＸ軸方向に配列される場合、第２集光フィルムのプリズムはＹ軸方向に配列される。
【００７９】
支持フレーム４００は表示パネル１００を支持するとともに、その表示パネル１００と光学フィルム２００間の間隔を一定に維持する。このために、図２に示したように、この支持フレーム４００は第１支持部４００ａ及び第２支持部４００ｂを含む四角枠状を有する。
【００８０】
第１支持部４００ａはボトムケース６００の側部６１２を取り囲む。第１支持部４００ａは側部６１２と密着して支持フレーム４００の遊動を防止する。
【００８１】
第２支持部４００ｂは第１支持部４００ａから光学フィルム２００と表示パネル１００間の空間に突出する。例えば、第２支持部４００ｂは光学フィルム２００の最上側フィルム（例えば、保護フィルム２００ｃ）の縁端と表示パネル１００の縁端の間に配置される。
【００８２】
第２支持部４００ｂと表示パネル１００の縁端の間にはフォームテープ４１が配置される。表示パネル１００はフォームテープ４１によって第２支持部４００ｂに付着される。
【００８３】
表示パネル１００は映像を表示する。表示パネル１００は光学フィルム２００上に位置する。表示パネル１００は、第１基板１０１、第２基板１０２、第１偏光板１１１及び第２偏光板１１２を含む。一方、図示していないが、表示パネル１００は第１基板１０１と第２基板１０２の間に配置された光制御層をさらに含む。第１基板１０１と第２基板１０２は光制御層を挟んで互いに向き合う。
【００８４】
光制御層は光学フィルム２００から提供された光の透過度を制御する。この光制御層は光透過度を制御できるものであればいずれでも可能である。例えば、光制御層は、液晶層、電気湿潤層及び電気泳動層のいずれか一つであってもよい。以下では、前記光制御層が液晶層であるものとして説明する。
【００８５】
図示していないが、第１基板１０１上には複数のゲートライン、複数のデータライン及び複数の画素電極が配置される。データラインはゲートラインと交差する。ゲートラインはゲートドライバー１３４に接続され、データラインはデータドライバー１３６に接続される。
【００８６】
ゲートドライバー１３４は第１基板１０１の非表示領域に配置される。ゲートドライバー１３４はタイミングコントローラー（図示せず）から提供されたゲート制御信号によってゲート信号を生成し、そのゲート信号を複数のゲートラインに順次供給する。ゲートドライバー１３４は、例えばゲートシフトクロックによってゲートスタートパルスをシフトさせてゲート信号を発生させるシフトランジスタからなる。シフトランジスタは複数の駆動トランジスタからなる。
【００８７】
データドライバー１３６は複数のデータ駆動集積回路１４７を含む。データ駆動集積回路１４７はタイミングコントローラーからデジタル映像データ信号及びデータ制御信号を受ける。データ駆動集積回路（Ｄ−ＩＣ）はデータ制御信号によってデジタル映像データ信号をサンプリングした後、毎水平期間ごとに一水平ラインに対応するサンプリング映像データ信号をラッチし、そのラッチされた映像データ信号をデータラインに供給する。すなわち、データ駆動集積回路１４７はタイミングコントローラーからのデジタル映像データ信号を電源供給部（図示せず）から入力されるガンマ電圧を用いてアナログ映像信号に変換してデータラインに供給する。
【００８８】
各データ駆動集積回路１４７はキャリア１４６に実装される。キャリア１４６はプリント基板１６８と表示パネル１００の間に接続される。プリント基板１６８に前述したタイミングコントローラー及び電源供給部を含む駆動回路部１７７が配置され、キャリア１４６はタイミングコントローラー及び電源供給部からの各種の信号をデータ駆動集積回路１４７に伝送する入力配線とそのデータ駆動集積回路１４７から出力された映像データ信号を該当データラインに伝送する出力ラインを含む。
【００８９】
一方、少なくとも一つのキャリア１４６はタイミングコントローラー及び電源供給部からの各種の信号をゲートドライバー１３４に伝送するための補助ラインをさらに含み、この補助ラインは第１基板１０１に位置する連結ラインに連結される。この連結ラインは補助ラインとゲートドライバー１３４を互いに連結する。連結ラインはライン−オン−ガラス（ｌｉｎｅ−ｏｎ−ｇｌａｓｓ）方式で第１基板１０１に形成される。
【００９０】
第１偏光板１１１は第１基板１０１の外側面上に配置され、第２偏光板１１２は第２基板１０２の外側面上に配置される。ここで、第１基板１０１と第２基板１０２の対向面をそれぞれ該当基板の内側面に定義すると、第１基板１０１及び第２基板１０２の各外側面は該当基板の内側面の反対側に位置する面を意味する。
【００９１】
第１偏光板１１１の光軸は第２偏光板１１２の光軸と交差する。例えば、第１偏光板１１１の光軸がＸ軸方向に平行な場合、第２偏光板１１２の光軸はＹ軸方向に平行であり得る。
【００９２】
トップケース５００は表示パネル１００の一側縁端、支持フレーム４００の第１支持部４００ａの上面及び側面を取り囲む。このために、このトップケース５００は、表示パネル１００の縁端と第１支持部４００ａの上面を覆う前面カバー５００ａと第１支持部４００ａの側面を覆う側面カバー５００ｂを含む。ここで、表示パネル１００の一側縁端はデータドライバー１３６に連結された表示パネル１００の縁端を意味する。
【００９３】
保護ケース５５０はプリント基板１６８及びそのプリント基板１６８に配置された駆動回路部１７７を保護する。保護ケース５５０はプリント基板１６８及び駆動回路部１７７を覆う。
【００９４】
保護ケース５５０は、第１保護部５５０ａ及び第２保護部５５０ｂを含む。
第１保護部５５０ａは第１基底部６１１ａと向き合う。また、第１保護部５５０ａはプリント基板１６８及び駆動回路部１７７を挟んで第２基底部６１１ｂと向き合う。プリント基板１６８及び駆動回路部１７７は第１保護部５５０ａと第２基底部６１１ｂの間に配置される。
【００９５】
第２保護部５５０ｂは第１保護部５５０ａの一側縁端からＺ軸方向に向かって突出する。第２保護部５５０ｂはトップケース５００の側面カバー５００ｂを挟んで支持フレーム４００と向き合う。言い換えれば、側面カバー５００ｂは第２保護部５５０ｂと支持フレーム４００の間に配置される。
【００９６】
前述したように、導光板３００の上面３２を基準面に定義すると、この基準面から第１保護部５５０ａの外側面までの高さ（又は距離）Ｈ１とその基準面から第３基底部６１１ｃの外側面までの高さ（又は距離）Ｈ２は同一である。これにより、第１保護部５５０ａの外側面と第３基底部６１１ｃの外側面は同一平面上に配置される。言い換えれば、第１保護部５５０ａの外側面と第３基底部６１１ｃの外側面間の高低差は０である。ここで、第１保護部５５０ａの外側面は導光板３００と向き合う第１保護部５５０ａの内側面の反対側に位置する面である。
【００９７】
第１保護部５５０ａの外側面と第３基底部６１１ｃの外側面は同一平面上に配置されることによって表示装置の背面が扁平な状態で維持される。
【００９８】
図４は図２の導光板３００及びその導光板３００の周辺部の他の実施例の拡大図である。
散乱層９１０は、図４に示したように、導光板３００の上面３２上に配置される。具体的に、散乱層９１０は導光部３００ａの上面３２及び延長部３００ｂの上面３２上に配置される。ここで、散乱層９１０は導光板３００の上面３２の全面積と重畳する。
【００９９】
また、本発明の表示装置は散乱層９１０上に配置された色変換層９２０をさらに含む。色変換層９２０は散乱層９１０と光学フィルム２００の間に配置される。この色変換層９２０は前述した第１光源８２１及び第２光源８２２がそれぞれ青色光を出射する光源の場合に付け加えられる。
【０１００】
色変換層９２０は導光板３００から提供された光の色相を変更する。例えば、色変換層９２０は導光板３００を通して第１光源８２１及び第２光源８２２から提供された青色光を白色光に変換する。
【０１０１】
色変換層９２０は蛍光体を含む樹脂（ｒｅｓｉｎ）から製造される。蛍光体は光、放射線などの照射によって蛍光を発する物質であり、蛍光体固有の波長を有する光を放出する。また、蛍光体は照射される光の方向にかかわらず全領域に光を放出する。本発明の一実施例によれば、蛍光体量子ドット（ｑｕａｎｔｕｍ  ｄｏｔ）が使われることができる。ここで、量子ドットは、球形、ロッド（ｒｏｄ）形、ピラミッド形、多枝（ｍｕｌｔｉ−ａｒｍ）形、立方体（ｃｕｂｉｃ）のナノ粒子型、ナノチューブ形、ナノワイヤ形、ナノ纎維型、ナノ板状粒子形などの形態を有する。
【０１０２】
量子ドットはその量子ドットに入射した入射光を吸収した後、その入射光と違う波長を有する光を放出する。すなわち、量子ドットは入射した光の波長を変換させる波長変換粒子である。量子ドットの大きさによって光の波長が変わる。例えば、量子ドットの直径によってその量子ドットから放出される光の色相が制御される。
【０１０３】
量子ドットは高い吸光係数（ｅｘｔｉｎｃｔｉｏｎ  ｃｏｅｆｆｉｃｉｅｎｔ）及び高い量子収量（ｑｕａｎｔｕｍ  ｙｉｅｌｄ）を有し、非常に強い蛍光を発生する。特に、量子ドットは短波長の光を吸収してより長波長を有する光を放出する。量子ドットは約４５ｎｍ以下、好ましくは約４０ｎｍ以下、より好ましくは約３０ｎｍ以下の発光波長スペクトルの半値幅（ｆｕｌｌ  ｗｉｄｔｈ  ｏｆ  ｈａｌｆ  ｍａｘｉｍｕｍ、ＦＷＨＭ）を有し、この範囲で色純度又は色再現性を向上させる。また、このような量子ドットによって発光される光は全方向に放出されるので、光視野角が向上する。
【０１０４】
量子ドットはコアナノ結晶及びこのコアナノ結晶を取り囲む殻ナノ結晶を含む構造を有する。また、量子ドットは殻ナノ結晶に結合される有機リガンドを含むことができ、殻ナノ結晶を取り囲む有機コーティング層を含むこともできる。
【０１０５】
殻ナノ結晶は２層以上から形成される。殻ナノ結晶はコアナノ結晶の表面に配置される。このとき、コアナノ結晶と殻ナノ結晶の界面は殻ナノ結晶に存在する元素の濃度が中心に行くほど低くなる濃度勾配（ｇｒａｄｉｅｎｔ）を有する。
【０１０６】
量子ドットは、ＩＩ族化合物半導体、ＩＩＩ族化合物半導体、ＩＶ族化合物半導体、V族化合物半導体及びＶＩ族化合物半導体の少なくとも１種の物質を含む。例えば、量子ドットは、ＩＩ−ＶＩ族化合物、ＩＩＩ−Ｖ族化合物、ＩＶ−ＶＩ族化合物、ＩＶ族元素、ＩＶ族化合物及びこれらの組合せから選択される。
【０１０７】
より詳細に、ＩＩ−ＶＩ族化合物は、ＣｄＯ、ＣｄＳ、ＣｄＳｅ、ＣｄＴｅ、ＺｎＯ、ＺｎＳ、ＺｎＳｅ、ＺｎＴｅ、ＨｇＳ、ＨｇＳｅ、ＨｇＴｅ、ＭｇＳｅ、ＭｇＳ及びこれらの混合物からなる群から選択される２元素化合物、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＭｇＺｎＳｅ、ＭｇＺｎＳ及びこれらの混合物からなる群から選択される３元素化合物、及びＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ及びこれらの混合物からなる群から選択される４元素化合物からなる群から選択される。ＩＩＩ−Ｖ族化合物はＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ及びこれらの混合物からなる群から選択される２元素化合物、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ及びこれらの混合物からなる群から選択される３元素化合物、及びＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ及びこれらの混合物からなる群から選択される４元素化合物からなる群から選択される。ＩＶ−ＶＩ族化合物は、ＳｎＳ、ＳｎＳｅ、ＳｎＴｅ、ＰｂＳ、ＰｂＳｅ、ＰｂＴｅ及びこれらの混合物からなる群から選択される２元素化合物、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ及びこれらの混合物からなる群から選択される３元素化合物、及びＳｎＰｂＳＳｅ、ＳｎＰｂＳｅＴｅ、ＳｎＰｂＳＴｅ及びこれらの混合物からなる群から選択される４元素化合物からなる群から選択される。ＩＶ族元素としては、Ｓｉ、Ｇｅ及びこれらの混合物からなる群から選択される。ＩＶ族化合物は、ＳｉＣ、ＳｉＧｅ及びこれらの混合物からなる群から選択される２元素化合物であってもよい。
【０１０８】
ここで、２元素化合物、３元素化合物又は４元素化合物は均一な濃度で粒子内に存在するか、濃度分布が部分的に異なる状態に分けられて同一粒子内に存在するものであってもよい。
【０１０９】
同じ組成の量子ドットであっても直径によって互いに異なる光を発生することができる。例えば、コアナノ結晶がＣｄＳｅを含み、量子ドットの直径が１ｎｍ〜３ｎｍの場合、青色光を発生させ、量子ドットの直径が３ｎｍ〜５ｎｍの場合、緑色光を発生させ、量子ドットの直径が７ｎｍ〜１０ｎｍの場合、赤色光を発生させる。
【０１１０】
本発明の一実施例による表示装置は量子ドットのような蛍光体を含む色変換層９２０をさらに備えることにより、色純度を向上させ、表示装置の表示品質を向上させる。
【０１１１】
図５は図２の導光板３００、第１光源モジュール８０１及び第２光源モジュール８０２の平面図である。
【０１１２】
図５に示したように、導光板３００は複数のディミング領域３３３を含む。このディミング領域３３３はマトリックス状に配列される。図５には、一例として、７ｘ５のマトリックス状に配列された３５個のディミング領域３３３を含む導光板３００を示す。
【０１１３】
導光部３００ａのディミング領域３３３は第１光源モジュール８０１の第１光源８２１とＸ軸方向に向き合う。導光部３００ａのディミング領域３３３の輝度は第１光源８２１によって個別的に制御される。このために、第１光源８２１の輝度は第１光源駆動部によって個別に制御される。第１光源８２１の輝度はその導光部３００ａのディミング領域３３３に対応する映像の輝度によって制御される。例えば、導光部３００ａの一ディミング領域３３３に対応する表示パネル１００の一領域が明るい映像を表示する場合、その一ディミング領域３３３に対応する第１光源８２１は高輝度の光を提供する。一方、その一ディミング領域３３３に対応する表示パネル１００の一領域が暗い映像を表示する場合、その一ディミング領域３３３に対応する第１光源８２１は低輝度の光を提供する。
【０１１４】
延長部３００ｂのディミング領域３３３は第２光源モジュール８０２の第２光源とＺ軸方向に向き合う。延長部３００ｂのディミング領域３３３の輝度は第２光源８２２によって個別に制御される。このために、第２光源８２２の輝度は第２光源駆動部によって個別に制御される。第２光源８２２の輝度はその延長部３００ｂのディミング領域３３３に対応する映像の輝度によって制御される。例えば、延長部３００ｂの一ディミング領域３３３に対応する表示パネル１００の一領域が明るい映像を表示する場合、その一ディミング領域３３３に対応する第２光源８２２は高輝度の光を提供する。一方、その一ディミング領域３３３に対応する表示パネル１００の一領域が暗い映像を表示する場合、その一ディミング領域３３３に対応する第２光源８２２は低輝度の光を提供する。
【０１１５】
一方、図５によれば、一ディミング領域３３３当たり一つの光源が配置されているが、一ディミング領域３３３当たり複数の光源が配置されることもできる。この場合、一ディミング領域３３３に対応するように配置された複数の光源は同じ輝度の光を出射するように制御される。
【０１１６】
第１光源駆動部及び第２光源駆動部は前述した駆動回路部１７７に含まれることができる。
【０１１７】
図６は図１のＩ−Ｉ’線に沿っての他の実施例の断面図である。
図６に示したように、第２光源モジュール８０２はレンズ８７７をさらに含む。レンズ８７７は第２光源８２２を取り囲む。第２光源モジュール８０２が複数の第２光源８２２を含む場合、複数のレンズ８７７は複数の第２光源８２２のそれぞれを個別に取り囲む。レンズ８７７は半球形状を有することができる。一方、レンズ８７７はこの半球形状の他にも放物線形又は半円柱形のような多様な形状を有することもできる。
【０１１８】
一方、第１光源モジュール８０１は第１光源８２１を取り囲むレンズをさらに含むことができる。
図６の残りの構成要素は前述した図１〜図６の構成要素と同一である。
【０１１９】
図７は図１のＩ−Ｉ’線に沿っての他の実施例の断面図である。
本発明による表示装置は、図７に示したように、光源モジュール８００、ボトムケース６００、導光板３００、導光パターン３５０、光学フィルム２００、支持フレーム４００、表示パネル１００、プリント基板１６８、駆動回路部１７７、保護ケース５５０及びトップケース５００を含む。
【０１２０】
導光板３００はボトムケース６００の内部に位置する。導光板３００は、第１導光部３０１ａ、第２導光部３０１ｂ及び延長部３０１ｃを含む。延長部３０１ｃは第１導光部３０１ａからＸ軸方向に延びる。第１導光部３０１ａ、第２導光部３０１ｂ及び延長部３０１ｃは一体になる。
【０１２１】
延長部３０１ｃの長さは第１導光部３０１ａの長さより長くてもよい。ここで、延長部３０１ｃの長さ及び第１導光部３０１ａの長さはそれぞれＸ軸方向への大きさを意味する。
【０１２２】
延長部３０１ｃの厚さは第１導光部３０１ａの厚さと同一であってもよい。ここで、延長部３０１ｃの厚さ及び第１導光部３０１ａの厚さはそれぞれＺ軸方向への大きさを意味する。
【０１２３】
第２導光部３０１ｂは第１導光部３０１ａからボトムケース６００に向かって突出する。具体的な例として、第２導光部３０１ｂは第１導光部３０１ａからボトムケース６００の第２基底部６１０ｂと第３基底部６１０ｃ間の連結部に向かって突出する。
【０１２４】
第２導光部３０１ｂは三角形断面を有することができる。ここで、第２導光部３０１ｂはその突出方向（例えば、−Ｚ軸方向）に沿って次第に小さくなる幅を有する。ここで、第２導光部３０１ｂの幅は互いに向き合う斜面３１ａ、３１ｂ間の距離であり、これはＸ軸方向への距離を意味する。
【０１２５】
第２導光部３０１ｂの斜面３１ａ、３１ｂの一斜面（以下、第１斜面３１ａ）はボトムケース６００と向き合い、他の斜面（以下、第２斜面３１ｂ）は第１光源８２１と向き合う。第１斜面３１ａの長さは第２斜面３１ｂの長さより長い。他の実施例として、第１斜面３１ａの長さと第２斜面３１ｂの長さは同一であっても良い。さらに他の実施例として、第１斜面３１ａの長さは第２斜面３１ｂの長さより小さくてもよい。
【０１２６】
導光板３００の面のうちＺ軸方向に向き合う二つの面はそれぞれその導光板３００の下面３１及び上面３２を定義し、その導光板３００の面のうちＸ軸方向に向き合う二つの面はそれぞれその導光板３００の第１側面３３及び第２側面３４を定義する。導光板３００の下面３１及び上面３２のうち下面３１が表示パネル１００から最も遠く位置する。
【０１２７】
導光板３００の下面３１は第１導光部３０１ａの下面３１、第２導光部３０１ｂの第１斜面３１ａ、第２導光部３０１ｂの第２斜面３１ｂ及び延長部３００ｂの下面３１を含む。
導光板３００の上面３２は第１導光部３０１ａの上面３２と延長部３００ｂの上面３２を含む。
【０１２８】
第２導光部３０１ｂに少なくとも一つの導光パターン３５０が配置される。例えば、第２導光部３０１ｂの第１斜面３１ａに複数の導光パターン３５０が配置される。導光パターン３５０はＸ軸方向及びＹ軸方向に配置される。
【０１２９】
Ｘ軸方向に配置された導光パターン３５０の間隔は第１光源８３１から遠くなる方向（例えば、−Ｘ軸方向）に次第に減少する。これとは違い、導光パターン３５０は一定の間隔で配置されることもできる。導光パターン３５０はボトムケース６００の第２基底部６１０ｂと導光板３００の第１斜面３１ａの間に配置される。
【０１３０】
第２導光部３０１ｂの第２斜面３１ｂと延長部３００ｂの下面３１が成す角θは鈍角であってもよい。
【０１３１】
ボトムケース６００はその内部に収納空間を含む。この収納空間に光源モジュール８００、導光板３００及び光学フィルム２００が配置される。
【０１３２】
前述した収納空間の確保のために、ボトムケース６００は収納部６１１及び複数の側部６１２を含む。例えば、収納部６１１は四角形を有し、前述した側部６１２のそれぞれはこの収納部６１１の各縁端から所定の長さに突出する。例えば、各側部６１２は収納部６１１の各縁端からＺ軸方向に突出する。例えば、各側部６１２は収納部６１１の各縁端からトップケース５００に向かって突出する。収納部６１１及び側部６１２は一体になる。互いに隣り合う側部６１２の縁端は互いに連結される。
【０１３３】
互いに向き合う二つの側部（例えば、Ｘ軸方向に向き合う側部）は互いに異なる長さを有することができる。例えば、その向き合う二つの側部のうち導光板３００の第１導光部３０１ａに最も近接した側部（以下、第１側部）は他の側部（以下、第２側部）より短い長さを有する。ここで、第１及び第２側部の各長さはＺ軸方向への大きさを意味する。
【０１３４】
ボトムケース６００の収納部６１１は、図７に示したように、第１基底部６１０ａ、連結部６８８、第２基底部６１０ｂ及び第３基底部６１０ｃを含む。前述した第１側部は第１基底部６１０ａの縁端から突出し、第２側部は第３基底部６１０ｃの縁端から突出する。
【０１３５】
第１基底部６１０ａは第１導光部３０１ａと向き合う。
第２基底部６１０ｂは第２導光部３０１ｂの第１斜面３１ａと向き合う。第２基底部６１０ｂは第１斜面３１ａに平行になるように傾いた形状を有する。
【０１３６】
第１光源８３１は第２導光部３０１ｂの第２斜面３１ｂと向き合う出光面を有する。第１光源８３１の出光面は第２斜面３１ｂに平行になるように傾いた形状を有する。
【０１３７】
連結部６８８は第１基底部６１０ａと第２基底部６１０ｂを連結する。第２基底部６１０ｂは傾いた形状を有する。
【０１３８】
第１基底部６１０ａ、第２基底部６１０ｂ及び第３基底部６１０ｃは導光板３００から互いに異なる距離に位置する。例えば、第１導光部３０１ａの下面３１と第１基底部６１０ａ間の距離を第１距離ｄ１と定義し、第２導光部３０１ｂの第１斜面３１ａと第２基底部６１０ｂ間の距離を第２距離ｄ２と定義し、延長部３０１ｃの下面３１と第３基底部６１１ｃ間の距離を第３距離ｄ３と定義すると、第１〜第３距離は互いに異なる。具体的に、第１距離ｄ１は第２距離ｄ２より大きくて第３距離ｄ３より小さい（ｄ２＜ｄ１＜ｄ３）。
【０１３９】
光源モジュール８００はボトムケース６００と導光板３００の間に配置される。光源モジュール８００はボトムケース６００の第３基底部６１０ｃ上に配置される。
【０１４０】
光源モジュール８００は少なくとも一つの第１光源８３１、少なくとも一つの第２光源８３２及び光源回路基板８３０を含む。
【０１４１】
第１光源８３１は前述した白色光又は青色光を出射する。第１光源８３１は導光板３００の第２導光部３０１ｂとボトムケース６００の第３基底部６１０ｃの間に配置される。第１光源８３１は第２導光部３０１ｂの第２斜面３１ｂと向き合う出光面を有する。第１光源８３１の出光面は第２斜面３１ｂに平行になるように傾いた形状を有する。
【０１４２】
第２光源８３２は前述した白色光又は青色光を出射する。第２光源８３２は導光板３００の延長部３０１ｃとボトムケース６００の第３基底部６１０ｃの間に配置される。第２光源８３２は延長部３０１ｃと向き合う出光面を有する。第２光源８３２の出光面は延長部３０１ｃの下面３１に平行である。
図７の残りの構成要素は前述した図１〜図６の構成要素と同一である。
【０１４３】
図８は図７の導光板及びこの導光板の周辺部に拡大図である。
散乱層９１０は、図８に示したように、導光板３００の上面３２上に配置される。具体的に、散乱層９１０は第１導光部３０１ａの上面３２、第２導光部３０１ｂの上面３２及び延長部３０１ｃの上面３２上に配置される。ここで、散乱層９１０は導光板３００の上面３２の全面積と重畳する。
【０１４４】
一方、他の実施例として、散乱層９１０は延長部３０１ｃの上面３２上にのみ選択的に配置される。
【０１４５】
また、色変換層９２０は散乱層９１０と光学フィルム２００の間に配置される。この色変換層９２０は前述した第１光源８３１及び第２光源８３２がそれぞれ青色光を出射する光源の場合に付け加えられる。
【０１４６】
色変換層９２０は導光板３００から提供された光の色相を変更する。例えば、色変換層９２０は導光板３００を通して第１光源８３１及び第２光源８３２から提供された青色光を白色光に変換する。
色変換層９２０は蛍光体を含む樹脂（ｒｅｓｉｎ）から製造される。
【０１４７】
図９は図１のＩ−Ｉ’線に沿っての他の実施例の断面図である。
本発明による表示装置は、図９に示したように、第１光源モジュール８０１、第２光源モジュール８０２、ボトムケース６００、導光板３００、導光パターン３５０、光学フィルム２００、支持フレーム４００、表示パネル１００、プリント基板１６８、駆動回路部１７７、保護ケース５５０及びトップケース５００を含む。
【０１４８】
導光板３００はボトムケース６００の内部に位置する。導光板３００は、導光部３０２ａ及び延長部３０２ｂを含む。延長部３０２ｂは導光部３０２ａからＸ軸方向に延びる。導光部３０２ａと延長部３０２ｂは一体になる。
【０１４９】
延長部３０２ｂの長さは導光部３０２ａの長さより長くてもよい。ここで、延長部３０２ｂの長さ及び導光部３０２ａの長さはそれぞれＸ軸方向への大きさを意味する。
【０１５０】
導光部３０２ａは台形断面を有する。導光部３０２ａはＸ軸方向に次第に小さくなる厚さを有する。ここで、導光部３０２ａの第１光源モジュール８０１に最も近接した部分が最大の厚さを有し、第１光源モジュール８０１から最も遠く位置する部分が最小の厚さを有する。導光部３０２ａの最小厚さは延長部３０２ｂの厚さと同一である。ここで、厚さはＺ軸方向への大きさを意味する。
【０１５１】
導光部３０２ａの斜面３１ｃはボトムケース６００と向き合う。
導光板３００の面のうちＺ軸方向に向き合う二つの面はそれぞれその導光板３００の下面３１及び上面３２と定義し、その導光板３００の面のうちＸ軸方向に向き合う二つの面はそれぞれその導光板３００の第１側面３３及び第２側面３４と定義する。導光板３００の下面３１及び上面３２のうち下面３１が表示パネル１００から最も遠く位置する。
【０１５２】
導光板３００の下面３１は導光部３０２ａの斜面３１ｃ及び延長部３０２ｂの下面３１を含む。
導光板３００の上面３２は第１導光部３０１ａの上面３２と延長部３０２ｂの上面３２を含む。
【０１５３】
導光部３０２ａに少なくとも一つの導光パターン３５０が配置される。例えば、導光部３０２ａの斜面３１ｃに複数の導光パターン３５０が配置される。具体的な例として、導光パターン３５０はボトムケース６００の第１基底部６１６ａと導光板３００の斜面３１ｃの間に配置される。導光パターン３５０はＸ軸方向及びＹ軸方向に配置される。
【０１５４】
Ｘ軸方向に配置された導光パターン３５０の間隔は第１光源モジュール８０１（又は第１光源モジュール８０１の第１光源８２１）から遠くなる方向（例えば、Ｘ軸方向）に次第に減少する。これとは違い、導光パターン３５０は一定の間隔で配置されることもできる。
【０１５５】
導光部３０２ａの斜面３１ｃと延長部３０２ｂの下面３１が成す角θは鈍角であってもよい。
【０１５６】
ボトムケース６００はその内部に収納空間を含む。この収納空間に第１光源モジュール８０１、第２光源モジュール８０２、導光板３００及び光学フィルム２００が配置される。
【０１５７】
前述した収納空間の確保のために、ボトムケース６００は収納部６１１及び複数の側部６１２を含む。例えば、収納部６１１は四角形を有し、前述した側部６１２のそれぞれはこの収納部６１１の各縁端から所定の長さで突出する。例えば、各側部６１２は収納部６１１の各縁端からＺ軸方向に突出する。例えば、各側部６１２は収納部６１１の各縁端からトップケース５００に向かって突出する。収納部６１１及び側部６１２は一体になる。互いに隣り合う側部６１２の縁端は互いに連結される
【０１５８】
。
第１光源モジュール８０１を挟んで互いに向き合う二つの側部（例えば、Ｘ軸方向に向き合う側部）は互いに異なる長さを有することができる。例えば、その向き合う二つの側部のうち導光板３００の導光部３０２ａに最も近接した側部（以下、第１側部）は他側部（以下、第２側部）より短い長さを有する。ここで、第１及び第２側部の各長さはＺ軸方向への大きさを意味する。
【０１５９】
ボトムケース６００の収納部は、図９に示したように、第１基底部６１６ａ、連結部６８９及び第２基底部６１６ｂを含む。前述した第１側部は第１基底部６１６ａの縁端から突出し、第２側部は第２基底部６１６ｂの縁端から突出する。
【０１６０】
第１基底部６１６ａは導光部３０２ａの斜面３１ｃと向き合う。第１基底部６１６ａはその斜面３１ｃに平行になるように傾いた形状を有する。
第２基底部６１６ｂは延長部３０２ｂと向き合う。
連結部６８９は第１基底部６１６ａと第２基底部６１６ｂを連結する。連結部６８９は傾いた形状を有する。
【０１６１】
第１基底部６１６ａ及び第２基底部６１６ｂは導光板３００から互いに異なる距離に位置する。例えば、導光部３０２ａの斜面３１ｃと第１基底部６１６ａ間の距離を第１距離ｄ１と定義し、延長部３０２ｂの下面３１と第２基底部６１６ｂ間の距離を第２距離ｄ２と定義すると、第１及び第２距離は互いに異なる。具体的に、第１距離ｄ１は第２距離ｄ２より小さい（ｄ１＜ｄ２）。
【０１６２】
第１光源モジュール８０１はボトムケース６００の第１側面と導光部３０２ａの間に位置する。第１光源モジュール８０１は前述した図１〜図６の第１光源モジュール８０１と同一である。
【０１６３】
第２光源モジュール８０２はボトムケース６００の第２基底部６１６ｂと延長部３０２ｂの間に位置する。第２光源モジュール８０２は前述した図１〜図６の第２光源モジュール８０２と同一である。
図９の残りの構成要素は前述した図１〜図６の構成要素と同一である。
【０１６４】
図１０は図９の導光板及びこの導光板の周辺部の拡大図である。
散乱層９１０は、図１０に示したように、導光板３００の上面３２上に配置される。具体的に、散乱層９１０は導光部３０２ａの上面３２、及び延長部３０２ｂの上面３２上に配置される。ここで、散乱層９１０は導光板３００の上面３２の全面積と重畳する。
【０１６５】
一方、他の実施例として、散乱層９１０は延長部３０２ｂの上面３２上にのみ選択的に配置されることができる。
【０１６６】
また、色変換層９２０は散乱層９１０と光学フィルム２００の間に配置される。この色変換層９２０は前述した第１光源８３１及び第２光源８３２がそれぞれ青色光を出射する光源の場合に付け加えられる。
【０１６７】
色変換層９２０は導光板３００から提供された光の色相を変更する。例えば、色変換層９２０は導光板３００を通して第１光源８２１及び第２光源８２２から提供された青色光を白色光に変換する。
色変換層９２０は蛍光体を含む樹脂（ｒｅｓｉｎ）から製造される。
【０１６８】
図１１は図２の導光板３００、第１光源モジュール８０１及び第２光源モジュール８０２の他の実施例の平面図である。
図１１に示したように、導光板３００は複数のディミング領域３３３を含む。このディミング領域３３３は前述した図５のディミング領域３３３と同一である。
【０１６９】
図１１に示したように、本発明の表示装置は第３光源モジュール８０３をさらに含む。第３光源モジュール８０３は、第３光源８２３及び第３光源回路基板８１３を含む。
【０１７０】
第３光源モジュール８０３は導光板３００の導光部３００ａと向き合う。例えば、第３光源モジュール８０３はＹ軸方向導光部３００と向き合う。すなわち、第３光源モジュール８０３はＸ軸方向に交差するＹ軸方向で導光部３００ａと向き合う。
【０１７１】
第３光源８２３は前述した第１光源８２１と同一の構成を有する。第３光源８２３は青色光又は白色光を出射する。
第３光源８２３の輝度は第３光源駆動部によって制御される。第３光源８２３からの光は導光部３００ａに供給される。第３光源８２３からの光によって導光部３００ａでの輝度が上昇する。
第３光源駆動部は前述した駆動回路部１７７に含まれる。
【０１７２】
一方、図６のレンズ８７７は前述した全ての実施例に付け加えられることができる。また、図１１の第３光源モジュール８０３は前述した全ての実施例に付け加えられることができる。
【０１７３】
以上で説明した本発明は上述した実施例及び添付図面に限定されるものではなく、本発明の技術的思想を逸脱しない範疇内で多様な置換、変形及び変更が可能であることは本発明が属する技術分野で通常の知識を有する者に明らかであろう。
【符号の説明】
【０１７４】
３１  下面
３１ａ、３１ｂ、３１ｃ  斜面
３２  上面
３３  第１側面
３４  第２側面
４１  フォームテープ
６０  溝
１００  表示パネル
１０１  第１基板
１０２  第２基板
１１１  第１偏光板
１１２  第２偏光板
１３４  ゲートドライバー
１３６  データドライバー
１４６  キャリア
１４７  データ駆動集積回路
１６８  プリント基板
１７７  駆動回路部
２００  光学フィルム
２００ａ  拡散フィルム
２００ｂ  集光フィルム
２００ｃ  保護フィルム
３００  導光板
３００ａ、３０２ａ  導光部
３００ｂ  延長部
３０１ａ  第１導光部
３０１ｂ  第２導光部
３０１ｃ、３０２ｂ  延長部
３３３  ディミング領域
３５０  導光パターン
４００  支持フレーム
４００ａ  第１支持部
４００ｂ  第２支持部
５００  トップケース
５００ａ  前面カバー
５００ｂ  側面カバー
５５０  保護ケース
５５０ａ  第１保護部
５５０ｂ  第２保護部
６００  ボトムケース
６１１  収納部
６１０ａ、６１１ａ、６１６ａ  第１基底部
６１０ｂ、６１１ｂ、６１６ｂ  第２基底部
６１０ｃ、６１１ｃ  第３基底部  ６１２  側部
６８８、６８９  連結部
６８８ａ  第１連結部
６８８ｂ  第２連結部
８００  光源モジュール
８０１  第１光源モジュール
８０２  第２光源モジュール
８０３  第３光源モジュール
８１１  第１光源回路基板
８１２  第２光源回路基板
８１３  第３光源回路基板
８２１、８３１  第１光源
８２２、８３２  第２光源
８２３  第３光源
８３０  光源回路基板
８７７  レンズ
９１０  散乱層
９２０  色変換層
【図１】
2020064270.tif 000003
【図２】
2020064270.tif 000004
【図３】
2020064270.tif 000005
【図４】
2020064270.tif 000006
【図５】
2020064270.tif 000007
【図６】
2020064270.tif 000008
【図７】
2020064270.tif 000009
【図８】
2020064270.tif 000010
【図９】
2020064270.tif 000011
【図１０】
2020064270.tif 000012
【図１１】
2020064270.tif 000013